(57)【要約】【課題】信号波形のスクロールと信号波形の拡大または縮小とを容易に実行する。【解決手段】時間軸を矢印Ａ方向に対応させ、かつ信号レベルを矢印Ｂ方向に対応させて波形表示領域１１に信号波形Ｗを表示させると共に、操作内容に応じて、信号波形ＷをＡ方向にスクロールさせる波形スクロール処理および信号波形ＷをＡ方向に沿って拡大または縮小する波形拡縮処理の実行に際して、波形表示領域１１においてドラッグ操作が行われたときに、ドラッグ操作のＡ方向に沿った第１操作量に応じて信号波形ＷをＡ方向に操作方向にスクロールさせる処理を波形スクロール処理として実行すると共に、ドラッグ操作のＢ方向に沿った第２操作量に応じて信号波形ＷをＡ方向に沿って拡大する処理、および第２操作量に応じて信号波形ＷをＡ方向に沿って縮小する処理のうちの操作方向に対応付けられたいずれかの処理を波形拡縮処理として実行する。【選択図】図２
2011106946.tif 000002
【特許請求の範囲】
【請求項１】
時間軸を第１方向に対応させ、かつ信号レベルを当該第１方向と交差する第２方向に対応させて波形表示領域に信号波形を表示させると共に、操作信号に応じて、前記信号波形を前記第１方向に沿ってスクロールさせる波形スクロール処理および当該信号波形を当該第１方向に沿って拡大または縮小する波形拡縮処理を実行する制御部を備えた波形表示装置であって、
前記制御部は、前記信号波形を表示させた状態の前記波形表示領域においてドラッグ操作が行われて当該ドラッグ操作に対応する前記操作信号が出力されたときに、当該ドラッグ操作の前記第１方向に沿った第１操作量に応じて前記信号波形を当該第１方向に沿って当該ドラッグ操作の操作方向にスクロールさせる処理を前記波形スクロール処理として実行すると共に、前記ドラッグ操作の前記第２方向に沿った第２操作量に応じて前記信号波形を前記第１方向に沿って拡大する処理、および当該第２操作量に応じて当該信号波形を当該第１方向に沿って縮小する処理のうちの前記操作方向に対応付けられたいずれかの処理を前記波形拡縮処理として実行する波形表示装置。
【請求項２】
時間軸を第１方向に対応させ、かつ信号レベルを当該第１方向と交差する第２方向に対応させて波形表示領域に信号波形を表示させると共に、操作信号に応じて、前記信号波形を前記第１方向に沿ってスクロールさせる波形スクロール処理および当該信号波形を前記第２方向に沿って拡大または縮小する波形拡縮処理を実行する制御部を備えた波形表示装置であって、
前記制御部は、前記信号波形を表示させた状態の前記波形表示領域においてドラッグ操作が行われて当該ドラッグ操作に対応する前記操作信号が出力されたときに、当該ドラッグ操作の前記第１方向に沿った第１操作量に応じて前記信号波形を当該第１方向に沿って当該ドラッグ操作の操作方向にスクロールさせる処理を前記波形スクロール処理として実行すると共に、前記ドラッグ操作の前記第２方向に沿った第２操作量に応じて前記信号波形を当該第２方向に沿って拡大する処理、および当該第２操作量に応じて当該信号波形を当該第２方向に沿って縮小する処理のうちの前記操作方向に対応付けられたいずれかの処理を前記波形拡縮処理として実行する波形表示装置。
【請求項３】
前記制御部は、予め規定された時間間隔毎に前記ドラッグ操作の前記第１操作量、前記第２操作量および前記操作方向を特定して当該特定の結果に応じて前記波形スクロール処理および前記波形拡縮処理を実行する請求項１または２記載の波形表示装置。
【請求項４】
前記制御部は、特定した前記第１操作量が予め規定された規定量を下回ったときに、当該規定量以上の当該第１操作量が特定される時点、および前記ドラッグ操作が終了する時点まで、直前に特定した前記第１操作量に応じて前記波形スクロール処理を継続して実行する請求項３記載の波形表示装置。
【請求項５】
前記制御部は、前記波形拡縮処理において前記ドラッグ操作の起点を中心として前記信号波形を拡大または縮小する請求項１から４のいずれかに記載の波形表示装置。
【請求項６】
前記操作信号を出力する操作部を備え、当該操作部は、少なくとも前記波形表示領域と重なるように配設されたタッチパネルを備え、当該タッチパネルに対する操作に応じた前記操作信号を出力する請求項１から５のいずれかに記載の波形表示装置。
【請求項７】
時間軸を第１方向に対応させ、かつ信号レベルを当該第１方向と交差する第２方向に対応させて波形表示領域に信号波形を表示させると共に、操作内容に応じて、前記信号波形を前記第１方向に沿ってスクロールさせる波形スクロール処理および当該信号波形を当該第１方向に沿って拡大または縮小する波形拡縮処理を実行する波形表示方法であって、
前記信号波形を表示させた状態の前記波形表示領域においてドラッグ操作が行われたときに、当該ドラッグ操作の前記第１方向に沿った第１操作量に応じて前記信号波形を当該第１方向に沿って当該ドラッグ操作の操作方向にスクロールさせる処理を前記波形スクロール処理として実行すると共に、前記ドラッグ操作の前記第２方向に沿った第２操作量に応じて前記信号波形を前記第１方向に沿って拡大する処理、および当該第２操作量に応じて当該信号波形を当該第１方向に沿って縮小する処理のうちの前記操作方向に対応付けられたいずれかの処理を前記波形拡縮処理として実行する波形表示方法。
【請求項８】
時間軸を第１方向に対応させ、かつ信号レベルを当該第１方向と交差する第２方向に対応させて波形表示領域に信号波形を表示させると共に、操作内容に応じて、前記信号波形を前記第１方向に沿ってスクロールさせる波形スクロール処理および当該信号波形を前記第２方向に沿って拡大または縮小する波形拡縮処理を実行する波形表示方法であって、
前記信号波形を表示させた状態の前記波形表示領域においてドラッグ操作が行われたときに、当該ドラッグ操作の前記第１方向に沿った第１操作量に応じて前記信号波形を当該第１方向に沿って当該ドラッグ操作の操作方向にスクロールさせる処理を前記波形スクロール処理として実行すると共に、前記ドラッグ操作の前記第２方向に沿った第２操作量に応じて前記信号波形を当該第２方向に沿って拡大する処理、および当該第２操作量に応じて当該信号波形を当該第２方向に沿って縮小する処理のうちの前記操作方向に対応付けられたいずれかの処理を前記波形拡縮処理として実行する波形表示方法。
【発明の詳細な説明】
【技術分野】
【０００１】
本発明は、波形表示領域に信号波形を表示させる波形表示装置および波形表示方法に関するものである。
【背景技術】
【０００２】
この種の波形表示方法に従って波形表示領域に信号波形を表示する波形表示装置として、電圧や温度等の測定データに基づいて特性曲線を表示させる測定データ表示装置が特開２０００−１０５３８号公報に開示されている。この測定データ表示装置では、表示制御部が、メモリに記憶された測定データに基づく特性曲線を表示画面の特性曲線表示領域に表示させる。この場合、この測定データ表示装置では、特性曲線の表示位置を移動させる（スクロールさせる）スクロールバー、および特性曲線を拡大・縮小するズームキーが特性曲線表示領域の下部に表示され、入力部を介してこれらが操作されたときに、表示制御部が、操作内容に応じて特性曲線を表示替えする。具体的には、スクロールバーが操作されたとき（スライド操作されたとき）には、特性曲線表示領域に表示させている特性曲線をスクロールバーの操作方向にスクロールさせる。また、ズームキーが操作されたときには、特性曲線表示領域に表示させている特性曲線を拡大または縮小する。これにより、利用者が所望の表示態様で特性曲線表示領域に特性曲線が表示される。
【先行技術文献】
【特許文献】
【０００３】
【特許文献１】特開２０００−１０５３８号公報（第３−４頁、第２−５図）
【発明の概要】
【発明が解決しようとする課題】
【０００４】
ところが、従来の測定データ表示装置には、以下の問題点が存在する。すなわち、従来の測定データ表示装置では、スクロールバーの操作によって特性曲線（信号波形）をスクロールさせると共に、ズームキーの操作によって特性曲線（信号波形）を拡大または縮小する構成が採用されている。この場合、この種の装置の使用に際しては、例えば、所定時間分の信号波形のなかから着目すべき部位を見つけ出すために、信号波形を縮小すると共に任意の方向にスクロールさせることがある。また、例えば、上記の着目すべき部位を特定した後に、特定した部位を拡大すると共に、特定した部位が表示領域の中央部に位置するように信号波形をスクロールさせることもある。しかしながら、従来の測定データ表示装置では、信号波形をスクロールさせるためのスクロールバーと、信号波形を拡大または縮小するためのズームキーとが互いに離間して表示されている。このため、信号波形の縮小およびスクロールを実行するときや、信号波形の拡大およびスクロールを実行するときに、スクロールバーおよびズームキーを交互に操作しなくてはならず、この操作が非常に煩雑となっているという問題点がある。
【０００５】
本発明は、かかる問題点に鑑みてなされたものであり、煩雑な操作を行うことなく、信号波形のスクロールと信号波形の拡大または縮小とを容易に実行し得る波形表示装置および波形表示方法を提供することを主目的とする。
【課題を解決するための手段】
【０００６】
上記目的を達成すべく請求項１記載の波形表示装置は、時間軸を第１方向に対応させ、かつ信号レベルを当該第１方向と交差する第２方向に対応させて波形表示領域に信号波形を表示させると共に、操作信号に応じて、前記信号波形を前記第１方向に沿ってスクロールさせる波形スクロール処理および当該信号波形を当該第１方向に沿って拡大または縮小する波形拡縮処理を実行する制御部を備えた波形表示装置であって、前記制御部が、前記信号波形を表示させた状態の前記波形表示領域においてドラッグ操作が行われて当該ドラッグ操作に対応する前記操作信号が出力されたときに、当該ドラッグ操作の前記第１方向に沿った第１操作量に応じて前記信号波形を当該第１方向に沿って当該ドラッグ操作の操作方向にスクロールさせる処理を前記波形スクロール処理として実行すると共に、前記ドラッグ操作の前記第２方向に沿った第２操作量に応じて前記信号波形を前記第１方向に沿って拡大する処理、および当該第２操作量に応じて当該信号波形を当該第１方向に沿って縮小する処理のうちの前記操作方向に対応付けられたいずれかの処理を前記波形拡縮処理として実行する。
【０００７】
また、請求項２記載の波形表示装置は、時間軸を第１方向に対応させ、かつ信号レベルを当該第１方向と交差する第２方向に対応させて波形表示領域に信号波形を表示させると共に、操作信号に応じて、前記信号波形を前記第１方向に沿ってスクロールさせる波形スクロール処理および当該信号波形を前記第２方向に沿って拡大または縮小する波形拡縮処理を実行する制御部を備えた波形表示装置であって、前記制御部が、前記信号波形を表示させた状態の前記波形表示領域においてドラッグ操作が行われて当該ドラッグ操作に対応する前記操作信号が出力されたときに、当該ドラッグ操作の前記第１方向に沿った第１操作量に応じて前記信号波形を当該第１方向に沿って当該ドラッグ操作の操作方向にスクロールさせる処理を前記波形スクロール処理として実行すると共に、前記ドラッグ操作の前記第２方向に沿った第２操作量に応じて前記信号波形を当該第２方向に沿って拡大する処理、および当該第２操作量に応じて当該信号波形を当該第２方向に沿って縮小する処理のうちの前記操作方向に対応付けられたいずれかの処理を前記波形拡縮処理として実行する。
【０００８】
また、請求項３記載の波形表示装置は、請求項１または２記載の波形表示装置において、前記制御部が、予め規定された時間間隔毎に前記ドラッグ操作の前記第１操作量、前記第２操作量および前記操作方向を特定して当該特定の結果に応じて前記波形スクロール処理および前記波形拡縮処理を実行する。
【０００９】
さらに、請求項４記載の波形表示装置は、請求項３記載の波形表示装置において、前記制御部が、特定した前記第１操作量が予め規定された規定量を下回ったときに、当該規定量以上の当該第１操作量が特定される時点、および前記ドラッグ操作が終了する時点まで、直前に特定した前記第１操作量に応じて前記波形スクロール処理を継続して実行する。
【００１０】
また、請求項５記載の波形表示装置は、請求項１から４のいずれかに記載の波形表示装置において、前記制御部が、前記波形拡縮処理において前記ドラッグ操作の起点を中心として前記信号波形を拡大または縮小する。
【００１１】
さらに、請求項６記載の波形表示装置は、請求項１から５のいずれかに記載の波形表示装置において、前記操作信号を出力する操作部を備え、当該操作部が、少なくとも前記波形表示領域と重なるように配設されたタッチパネルを備え、当該タッチパネルに対する操作に応じた前記操作信号を出力する。
【００１２】
また、請求項７記載の波形表示方法は、時間軸を第１方向に対応させ、かつ信号レベルを当該第１方向と交差する第２方向に対応させて波形表示領域に信号波形を表示させると共に、操作内容に応じて、前記信号波形を前記第１方向に沿ってスクロールさせる波形スクロール処理および当該信号波形を当該第１方向に沿って拡大または縮小する波形拡縮処理を実行する波形表示方法であって、前記信号波形を表示させた状態の前記波形表示領域においてドラッグ操作が行われたときに、当該ドラッグ操作の前記第１方向に沿った第１操作量に応じて前記信号波形を当該第１方向に沿って当該ドラッグ操作の操作方向にスクロールさせる処理を前記波形スクロール処理として実行すると共に、前記ドラッグ操作の前記第２方向に沿った第２操作量に応じて前記信号波形を前記第１方向に沿って拡大する処理、および当該第２操作量に応じて当該信号波形を当該第１方向に沿って縮小する処理のうちの前記操作方向に対応付けられたいずれかの処理を前記波形拡縮処理として実行する。
【００１３】
また、請求項８記載の波形表示方法は、時間軸を第１方向に対応させ、かつ信号レベルを当該第１方向と交差する第２方向に対応させて波形表示領域に信号波形を表示させると共に、操作内容に応じて、前記信号波形を前記第１方向に沿ってスクロールさせる波形スクロール処理および当該信号波形を前記第２方向に沿って拡大または縮小する波形拡縮処理を実行する波形表示方法であって、前記信号波形を表示させた状態の前記波形表示領域においてドラッグ操作が行われたときに、当該ドラッグ操作の前記第１方向に沿った第１操作量に応じて前記信号波形を当該第１方向に沿って当該ドラッグ操作の操作方向にスクロールさせる処理を前記波形スクロール処理として実行すると共に、前記ドラッグ操作の前記第２方向に沿った第２操作量に応じて前記信号波形を当該第２方向に沿って拡大する処理、および当該第２操作量に応じて当該信号波形を当該第２方向に沿って縮小する処理のうちの前記操作方向に対応付けられたいずれかの処理を前記波形拡縮処理として実行する。
【発明の効果】
【００１４】
請求項１記載の波形表示装置、および請求項７記載の波形表示方法によれば、信号波形を表示させた状態の波形表示領域においてドラッグ操作が行われたときに、ドラッグ操作の第１方向（時間軸を対応させた方向）に沿った第１操作量に応じて信号波形を第１方向に沿ってドラッグ操作の操作方向にスクロールさせる処理を波形スクロール処理として実行すると共に、ドラッグ操作の第２方向（信号レベルを対応させた方向）に沿った第２操作量に応じて信号波形を第１方向に沿って拡大する処理、および第２操作量に応じて信号波形を第１方向に沿って縮小する処理のうちの操作方向に対応付けられたいずれかの処理を波形拡縮処理として実行することにより、信号波形を第１方向（時間軸方向）に沿って拡大または縮小しつつ、第１方向に沿ってスクロールさせたいとき（信号波形の拡大または縮小とスクロールとを組み合せて実行したいとき）に、拡大または縮小を行うための操作と、スクロールさせるための操作とを１回のドラッグ操作によって容易に実行することができる。このため、この波形表示装置、および波形表示方法によれば、所望の信号波形を所望の表示倍率で容易に表示させることができる。
【００１５】
請求項２記載の波形表示装置、および請求項８記載の波形表示方法によれば、信号波形を表示させた状態の波形表示領域においてドラッグ操作が行われたときに、ドラッグ操作の第１方向（時間軸を対応させた方向）に沿った第１操作量に応じて信号波形を第１方向に沿ってドラッグ操作の操作方向にスクロールさせる処理を波形スクロール処理として実行すると共に、ドラッグ操作の第２方向（信号レベルを対応させた方向）に沿った第２操作量に応じて信号波形を第２方向に沿って拡大する処理、および第２操作量に応じて信号波形を第２方向に沿って縮小する処理のうちの操作方向に対応付けられたいずれかの処理を波形拡縮処理として実行することにより、信号波形を第２方向（信号レベル方向）に拡大または縮小しつつ第１方向（時間軸方向）にスクロールさせたいときに、拡大または縮小を行うための操作と、スクロールさせるための操作とを１回のドラッグ操作によって容易に実行することができる。このため、この波形表示装置、および波形表示方法によれば、所望の信号波形を所望の表示倍率で容易に表示させることができる。
【００１６】
請求項３記載の波形表示装置によれば、予め規定された時間間隔毎にドラッグ操作の第１操作量、第２操作量および操作方向を特定して特定の結果に応じて波形スクロール処理および波形拡縮処理を実行することにより、例えば、ドラッグ操作が完了した時点において、ドラッグ操作の起点と終点との間の操作量や操作方向に応じて波形スクロール処理や波形拡縮処理を実行するのと比較して、ドラッグ操作の途中においても波形スクロール処理や波形拡縮処理が実行されるため、信号波形のスクロールの状態や、拡大または縮小の状態をリアルタイムで見ながらドラッグ操作の操作方向および操作量を適宜変更することで、所望の信号波形を所望の表示倍率で確実かつ容易に表示させることができる。
【００１７】
請求項４記載の波形表示装置によれば、特定した第１操作量が予め規定された規定量を下回ったときに、規定量以上の第１操作量が特定される時点、およびドラッグ操作が終了する時点まで、直前に特定した第１操作量に応じて波形スクロール処理を継続して実行することにより、ドラッグ操作を繰り返して複数回に亘って実行することなく、信号波形を所望の量だけ大きくスクロールさせることができる。
【００１８】
請求項５記載の波形表示装置によれば、波形拡縮処理においてドラッグ操作の起点を中心として信号波形を拡大または縮小することにより、例えば、常に波形表示領域の中央部を中心にして拡大または縮小する構成および方法とは異なり、着目したい部位を表示領域外に移動させることなく、その着目したい部位を中心として信号波形を拡大することができると共に、信号波形の縮小に際しても、ドラッグ操作以前に表示されていた信号波形に対していずれの方向に位置する信号波形を含んで縮小表示させるかを任意に選択することができる。
【００１９】
請求項６記載の波形表示装置によれば、少なくとも波形表示領域と重なるように配設されたタッチパネルを備えてタッチパネルに対する操作に応じた操作信号を出力する操作部を備えたことにより、波形表示領域に表示されている信号波形自体を直接ドラッグする操作感覚で信号波形を拡大または縮小しつつスクロールさせることができる。このため、この波形表示装置、および波形表示方法によれば、波形表示装置の操作に不慣れな利用者であっても、所望の信号波形を所望の表示倍率で容易に表示させることができる。
【図面の簡単な説明】
【００２０】
【図１】波形表示装置１の構成を示すブロック図である。
【図２】波形表示領域１１内に信号波形Ｗを表示した状態の信号波形表示画面１０の表示画面図である。
【図３】ドラッグ操作の操作方向と表示制御の内容との関係について説明するための説明図である。
【図４】図２に示す信号波形表示画面１０（波形表示領域１１）内の信号波形Ｗを左向き（矢印ＡＬの向き）にスクロールさせた状態の表示画面図である。
【図５】図２に示す信号波形表示画面１０（波形表示領域１１）内の信号波形Ｗを左右方向（矢印Ａの方向：時間軸方向）に沿って縮小した状態の表示画面図である。
【図６】ドラッグ操作の操作方向および操作量の一例について説明するための説明図である。
【図７】図２に示す信号波形表示画面１０（波形表示領域１１）内の信号波形Ｗを右向き（矢印ＡＲの向き）にスクロールさせつつ、左右方向（矢印Ａの方向：時間軸方向）に沿って拡大した状態の表示画面図である。
【図８】図２に示す信号波形表示画面１０（波形表示領域１１）内の信号波形Ｗを右向き（矢印ＡＲの向き）にスクロールさせつつ、上下方向（矢印Ｂの方向：信号レベル方向）に沿って拡大した状態の表示画面図である。
【発明を実施するための形態】
【００２１】
以下、波形表示装置および波形表示方法の実施の形態について、添付図面を参照して説明する。
【００２２】
図１に示す波形表示装置１は、測定部２、操作部３、表示部４、制御部５および記憶部６を備え、後述する波形表示方法に従って表示部４に信号波形Ｗ（図２参照）を表示可能に構成されている。測定部２は、制御部５の制御に従い、入力信号Ｓｉについての電気的パラメータ（一例として、電圧値）を測定して測定データＤ（波形データ）を生成し、生成した測定データＤを制御部５に出力する。なお、信号波形を表示する電気的パラメータは電圧値に限定されるものではなく、電流値や位相等の各種パラメータについて、その信号波形を表示させる構成および方法を採用することができる。操作部３は、波形表示装置１の動作条件を設定するための操作スイッチや、測定データＤの記録を開始／終了するためのスタートスイッチおよびストップスイッチ等の各種操作スイッチ（図示せず）を備えると共に、表示部４の正面側に配設されたタッチパネルを備え、これらの操作に応じた操作信号Ｓ１を制御部５に出力する。なお、タッチパネルとしては、一例として、感圧式タッチパネルおよび静電式タッチパネルのいずれかを採用することができる。
【００２３】
表示部４は、一例として液晶表示パネルを備えて構成されて、制御部５から出力される表示信号Ｓ２に基づき、波形表示装置１の動作条件を設定するための動作条件設定画面（図示せず）や、信号波形Ｗを表示する信号波形表示画面１０（図２参照）を表示する。この場合、図２に示すように、信号波形表示画面１０は、信号波形Ｗを表示するための波形表示領域１１が規定され、この波形表示領域１１には、時間軸を左右方向（矢印Ａの方向：「第１方向」の一例）に対応させ、かつ、信号レベル（この例では、電圧値のレベル）を左右方向に直交する上下方向（矢印Ｂの方向：「第１方向と交差する第２方向」の一例）に対応させて信号波形Ｗが表示される。なお、実際の信号波形表示画面１０には、上記の波形表示領域１１以外の各種情報表示領域が規定されて、信号波形Ｗに関連する各種の情報が表示されるが、波形表示装置１の構成、およびその波形表示方法についての理解を容易とするために、これらについての図示および説明を省略する。
【００２４】
制御部５は、波形表示装置１を総括的に制御する。具体的には、制御部５は、操作部３からの操作信号Ｓ１に応じて測定部２を制御して入力信号Ｓｉについての測定処理（入力信号Ｓｉの測定データＤを生成する処理）を実行させる。また、制御部５は、測定部２から出力される測定データＤを記憶部６に記憶させると共に、その測定データＤに基づいて信号波形Ｗを表示させるための表示信号Ｓ２を生成して表示部４に出力する。さらに、制御部５は、操作部３からの操作信号Ｓ１に応じて（操作部３に対する操作内容に応じて）、表示部４に表示させている信号波形Ｗをスクロールさせる波形スクロール処理、および信号波形Ｗを拡大または縮小する波形拡縮処理を実行する。具体的には、この波形表示装置１では、表示部４の正面側に配設されたタッチパネルを用いて波形表示領域１１上でドラッグ操作する（タッチパネルにおいて波形表示領域１１と重なっている領域内でドラッグ操作する）ことによって、信号波形Ｗを任意の向きにスクロールさせたり、予め決められた範囲内において任意の表示倍率に拡大および縮小したりすることができるように構成されている。
【００２５】
この場合、図３に示すように、この波形表示装置１では、ドラッグ操作の起点に対して左右方向（波形表示領域１１において時間軸を対応させた方向：矢印Ａの方向）にドラッグされたときに、制御部５が、操作部３（タッチパネル）から出力される操作信号Ｓ１に基づき、ドラッグ操作の操作量（ドラッグされた距離：「第１操作量」の一例）に応じて信号波形Ｗを左右方向にスクロールさせる。また、制御部５は、ドラッグ操作の起点に対して上下方向（波形表示領域１１において信号レベルを対応させた方向：矢印Ｂの方向）にドラッグされたときに、ドラッグ操作の操作量（ドラッグされた距離：「第２操作量」の一例）に応じて信号波形Ｗを左右方向で拡大または縮小する構成が採用されている。より具体的には、制御部５は、起点に対して左向き（矢印ＡＬの向き）にドラッグされたときに信号波形Ｗを左向きにスクロールさせ、起点に対して右向き（矢印ＡＲの向き）にドラッグされたときに信号波形Ｗを右向きにスクロールさせ、起点に対して上向き（矢印ＢＵの向き）にドラッグされたときに信号波形Ｗを矢印Ａの方向（時間軸）に沿って拡大し、起点に対して下向き（矢印ＢＤの向き）にドラッグされたときに信号波形Ｗを矢印Ａの方向（時間軸）に沿って縮小する。
【００２６】
また、制御部５は、起点に対して左斜め上向き（例えば矢印ＣＬＵの向き）にドラッグされたときに信号波形Ｗを矢印Ａの方向に沿って拡大しつつ左向きにスクロールさせ、起点に対して右斜め上向き（例えば矢印ＣＲＵの向き）にドラッグされたときに信号波形Ｗを矢印Ａの方向に沿って拡大しつつ右向きにスクロールさせ、起点に対して左斜め下向き（例えば矢印ＣＬＤの向き）にドラッグされたときに信号波形Ｗを矢印Ａの方向に沿って縮小しつつ左向きにスクロールさせ、起点に対して右斜め下向き（例えば矢印ＣＲＤの向き）にドラッグされたときに信号波形Ｗを矢印Ａの方向に沿って縮小しつつ右向きにスクロールさせる。この場合、この波形表示装置１では、左斜め上向き、右斜め上向き、左斜め下向き、および右斜め下向きにドラッグ操作されたときに、そのドラッグ操作の矢印Ａの方向に沿った操作量（矢印Ａの方向に沿った移動距離：「第１操作量」の他の一例）に応じた量だけ信号波形Ｗがスクロールされ、矢印Ｂの方向に沿った操作量（矢印Ｂの方向に沿った移動距離：「第２操作量」の他の一例）に応じた量だけ信号波形Ｗが拡大または縮小される構成が採用されている。
【００２７】
さらに、制御部５は、信号波形Ｗの拡大または縮小に際して、波形表示領域１１においてドラッグ操作の起点と重なる位置を中心として信号波形Ｗを拡大または縮小する。また、制御部５は、予め規定された時間間隔（一例として、１００ｍｓ間隔）毎にドラッグ操作の向き（操作方向）および操作量を特定して、特定の結果（上記の規定された時間間隔内における操作方向および操作量）に応じて信号波形Ｗのスクロールや、拡大または縮小を実行する。さらに、制御部５は、上記の規定された時間間隔内におけるドラッグ操作の矢印Ａの方向に沿った操作量（第１操作量）が規定量を下回ったとき（ドラッグ操作がほぼ停止したとき：一例として、１００ｍｓにおける矢印Ａの方向に沿った操作量が１ｍｍを下回ったとき）に、再び規定量以上の操作量が特定される時点（ドラッグ操作が再開された時点）、およびドラッグ操作が終了する時点（タッチパネルから指等が離される時点）まで、直前に特定した操作量に応じて信号波形Ｗをスクロールさせる処理を継続して実行する。なお、ドラッグ操作と、波形スクロール処理および波形拡縮処理との関係については、後に詳細に説明する。記憶部６は、測定部２から出力された測定データＤや、制御部５の動作プログラムなどを記憶する。
【００２８】
次に、波形表示装置１による信号波形Ｗの表示処理（波形表示方法）について、添付図面を参照して説明する。
【００２９】
この波形表示装置１では、操作部３のスタートスイッチが操作されて操作信号Ｓ１が出力されたときに、制御部５が、測定部２を制御して測定処理を開始させる。この際に、測定部２は、入力信号Ｓｉをデジタル変換すると共に、設定された時間間隔でデジタル信号をサンプリングして測定データＤを生成し、生成した測定データＤを制御部５に出力する。これに応じて、制御部５は、測定部２から出力された測定データＤを記憶部６に順次記憶させる。また、制御部５は、測定データＤの記憶処理と並行して、測定データＤに基づく信号波形Ｗを表示部４に表示させる波形表示処理を実行する。具体的には、制御部５は、信号波形表示画面１０における波形表示領域１１に測定データＤに基づく信号波形Ｗを表示させるための表示信号Ｓ２を生成して表示部４に出力する。これにより、図２に示すように、測定部２から出力された測定データＤ（測定部２によって測定されている入力信号Ｓｉについての電圧値）を表す信号波形Ｗが、ほぼリアルタイムに表示部４に表示される。
【００３０】
この場合、この波形表示装置１では、測定部２による測定処理と並行して実行される波形表示処理において、制御部５が、予め設定された時間分（一例として、１０ｍｓ分）の信号波形Ｗを波形表示領域１１に表示させると共に、測定部２から新たな測定データＤが出力されたときに、信号波形Ｗを左向き（矢印ＡＬの向き）にスクロールさせて最新の測定データＤに基づく信号波形Ｗを波形表示領域１１に表示させる構成が採用されている。したがって、測定処理と並行して実行される波形表示処理では、波形表示領域１１内の信号波形Ｗが常に左向きにスクロールしている状態となる。この後、制御部５は、操作部３のストップスイッチが操作されて対応する操作信号Ｓ１が出力されるまで、上記の測定データＤの記憶処理と、信号波形Ｗの表示処理とを継続して実行する。
【００３１】
一方、この波形表示装置１では、測定部２による一連の測定処理が終了した状態において、記憶部６内の測定データＤに基づいて、任意の時点の信号波形Ｗを任意の表示倍率で波形表示領域１１内に表示させる波形表示処理を実行させることができる。この場合、波形表示領域１１に表示されている信号波形Ｗよりも前の時点の信号波形Ｗを表示させるときには、信号波形Ｗを右向き（矢印ＡＲの向き）にスクロールさせる。また、波形表示領域１１に表示されている信号波形Ｗよりも後の時点の信号波形Ｗを表示させるときには、信号波形Ｗを左向き（矢印ＡＬの向き）にスクロールさせる。さらに、波形表示領域１１に表示されている信号波形Ｗよりも短い時間分の信号波形Ｗを波形表示領域１１の左端部から右端部までの間に表示するときには、信号波形Ｗを左右方向（矢印Ａの方向）に沿って拡大する。また、波形表示領域１１に表示されている信号波形Ｗよりも長い時間分の信号波形Ｗを波形表示領域１１内に表示するときには、信号波形Ｗを左右方向（矢印Ａの方向）に沿って縮小する。
【００３２】
この場合、一例として、波形表示領域１１に表示されている信号波形Ｗ（この例では、測定処理の終了直前に生成された測定データＤに基づく信号波形Ｗ：図２参照）よりも後の時点の信号波形Ｗを表示させるときには、波形表示領域１１上において左向き（矢印ＡＬの向き）にドラッグ操作する。この際に、制御部５は、操作部３（タッチパネル）から出力された操作信号Ｓ１に基づき、波形表示領域１１上の所定の位置から左向きにドラッグ操作が行われたと判別し、その操作量（矢印Ａの方向（矢印ＡＬの向き）に沿った操作量：第１操作量）を特定して、特定した操作量に応じたスクロール量だけ信号波形Ｗを左向き（矢印ＡＬの向き）にスクロールさせる（操作信号に応じて（操作内容に応じて）波形スクロール処理を実行する）。この時点では、ドラッグ操作以前に信号波形Ｗを表示させていた測定データＤの後に生成された測定データＤが存在しないため、図４に示すように、ドラッグ操作以前に波形表示領域１１に表示されていた信号波形Ｗの右側部位が波形表示領域１１の左方に移動すると共に、波形表示領域１１の右方に信号波形Ｗが存在しない信号波形表示画面１０が表示部４に表示される。なお、実際には、上記したように、制御部５によって１００ｍｓ間隔でドラッグ操作の操作量および操作方向が特定され、その測定結果に基づいて信号波形Ｗがスクロールされるが、１００ｍｓ間隔での操作量および操作方向の特定処理については、後に説明する。
【００３３】
また、波形表示領域１１に表示されている信号波形Ｗ（一例として、測定処理の終了直前に生成された測定データＤに基づく信号波形Ｗ：図２参照）を時間軸方向に縮小して表示させるときには、波形表示領域１１上において下向き（矢印ＢＤの向き）にドラッグ操作する。この際に、制御部５は、操作部３（タッチパネル）から出力された操作信号Ｓ１に基づき、波形表示領域１１上の所定の位置から下向きにドラッグ操作が行われたと判別し、その操作量（矢印Ｂの方向（矢印ＢＤの向き）に沿った操作量：第２操作量）を特定して、特定した操作量に応じた倍率だけ信号波形Ｗを左右方向（矢印Ａの方向）に沿って縮小する（操作信号に応じて（操作内容に応じて）波形拡縮処理を実行する）。この際に、制御部５は、例えば図２に示す位置Ｐ０を起点としてドラッグ操作が行われたときに、この位置Ｐ０を中心として信号波形Ｗを縮小する。この結果、図５に示すように、ドラッグ操作以前に波形表示領域１１に表示されていた信号波形Ｗよりも前の時点の信号波形Ｗを含んで信号波形Ｗが時間軸方向において縮小されると共に、波形表示領域１１の右方に信号波形Ｗが存在しない信号波形表示画面１０が表示部４に表示される。
【００３４】
一方、波形表示領域１１に表示されている信号波形Ｗ（一例として、測定処理の終了直前に生成された測定データＤに基づく信号波形Ｗ：図２参照）よりも前の時点の信号波形Ｗを時間軸方向に沿って拡大して表示させるときには、一例として、図６に示す矢印ＣＲＵ１のように、波形表示領域１１上において右斜め上向きにドラッグ操作する。この際に、制御部５は、操作部３（タッチパネル）から出力された操作信号Ｓ１に基づき、波形表示領域１１上の所定の位置から右斜め上向きにドラッグ操作が行われたと判別すると共に、その操作量および操作方向を特定して、特定した結果に応じた波形スクロール処理および波形拡縮処理を実行する（操作信号に応じて（操作内容に応じて）波形スクロール処理および波形拡縮処理を実行する）。具体的には、例えば、図２に示す位置Ｐ０から図６に示す矢印ＣＲＵ１の向きにドラッグ操作されたときに、制御部５は、１００ｍｓ間隔で、左右方向（矢印Ａの方向）に沿った操作量（第１操作量）、上下方向（矢印Ｂの方向）に沿った操作量（第２操作量）、およびその操作方向（操作の向き）をそれぞれ特定する。
【００３５】
より具体的には、図６に示すように、位置Ｐ０からのドラッグ操作が開始されてから最初の１００ｍｓが経過して位置Ｐ１までドラッグされたときに、制御部５は、位置Ｐ０，Ｐ１の左右方向（矢印Ａの方向）に沿った操作量が矢印Ｌａ１で示す量であり、上下方向（矢印Ｂの方向）に沿った操作量が矢印Ｌｂ１で示す量であり、操作方向が右斜め上向きであると特定する。この際に、制御部５は、矢印Ｌｂ１で示す操作量に対応する倍率で位置Ｐ０を中心として信号波形Ｗを左右方向に拡大すると共に（「波形拡縮処理」の一例）、矢印Ｌａ１で示す操作量に対応するスクロール量だけ信号波形Ｗを右向きにスクロールさせる（「波形スクロール処理」の一例）。
【００３６】
また、位置Ｐ０からのドラッグ操作が開始されてから２００ｍｓが経過して位置Ｐ２までドラッグされたときには、制御部５は、位置Ｐ１，Ｐ２の左右方向（矢印Ａの方向）に沿った操作量が矢印Ｌａ２で示す量であり、上下方向（矢印Ｂの方向）に沿った操作量が矢印Ｌｂ２で示す量であり、操作方向が右斜め上向きであると特定する。この際に、制御部５は、矢印Ｌｂ２で示す操作量に対応する倍率で位置Ｐ０を中心として信号波形Ｗを左右方向にさらに拡大すると共に（「波形拡縮処理」の他の一例）、矢印Ｌａ２で示す操作量に対応するスクロール量だけ信号波形Ｗをさらに右向きにスクロールさせる（「波形スクロール処理」の他の一例）。
【００３７】
さらに、位置Ｐ０からのドラッグ操作が開始されてから３００ｍｓが経過して位置Ｐ３までドラッグされたときには、制御部５は、位置Ｐ２，Ｐ３の左右方向（矢印Ａの方向）に沿った操作量が矢印Ｌａ３で示す量であり、上下方向（矢印Ｂの方向）に沿った操作量が矢印Ｌｂ３で示す量であり、操作方向が右斜め上向きであると特定する。この際に、制御部５は、矢印Ｌｂ３で示す操作量に対応する倍率で位置Ｐ０を中心として信号波形Ｗを左右方向さらに拡大すると共に（「波形拡縮処理」のさらに他の一例）、矢印Ｌａ３で示す操作量に対応するスクロール量だけ信号波形Ｗをさらに右向きにスクロールさせる（「波形スクロール処理」のさらに他の一例）。
【００３８】
この結果、図７に示すように、ドラッグ操作以前に波形表示領域１１に表示されていた信号波形Ｗよりも前の時点の信号波形Ｗが図２に示す位置Ｐ０に対応する部位を中心として時間軸方向において拡大されて波形表示領域１１に表示された信号波形表示画面１０が表示部４に表示される。この場合、上記の例において、位置Ｐ３から移動することなくドラッグ操作が継続して実行されたとき（位置Ｐ３から移動することなくタッチパネルに触れられた状態が続いたとき）には、制御部５は、位置Ｐ２，Ｐ３の左右方向に沿った操作量（「直前に特定した第１操作量」の一例：この例では、矢印Ｌａ３で示す量）に応じたスクロール量だけ信号波形Ｗを右向き（図２に示す矢印ＡＲの向き）に継続してスクロールさせる（「波形スクロール処理」のさらに他の一例）。また、制御部５は、その状態においてドラッグ操作が再開されたときには、その後に特定される操作量や操作方向に応じて（「規定量以上の第１操作量が特定される時点」の一例）、信号波形Ｗのスクロールおよび拡大（または縮小）を実行する。一方、信号波形Ｗを継続してスクロールさせているときにドラッグ操作が終了したとき（位置Ｐ３に触れられた状態が解除されたとき：「ドラッグ操作が終了する時点」の一例）には、信号波形Ｗのスクロールを停止させる。
【００３９】
このように、この波形表示装置１、および波形表示装置１による波形表示方法では、信号波形Ｗを表示させた状態の波形表示領域１１においてドラッグ操作が行われたときに、ドラッグ操作の左右方向（時間軸を対応させた方向）に沿った操作量に応じて信号波形Ｗを左右方向に沿ってドラッグ操作の操作方向にスクロールさせる処理を波形スクロール処理として実行すると共に、ドラッグ操作の上下方向（信号レベルを対応させた方向）に沿った操作量に応じて信号波形Ｗを左右方向に沿って拡大する処理、および上下方向に沿った操作量に応じて信号波形Ｗを左右方向に沿って縮小する処理のうちの操作方向に対応付けられたいずれかの処理（この例では、上向きが拡大する処理で、下向きが縮小する処理）を波形拡縮処理として実行することにより、信号波形Ｗを時間軸方向に沿って拡大または縮小しつつ、時間軸方向に沿って（左向き、または右向きに）スクロールさせたいとき（信号波形Ｗの拡大または縮小とスクロールとを組み合せて実行したいとき）に、拡大または縮小を行うための操作と、スクロールさせるための操作とを１回のドラッグ操作によって容易に実行することができる。このため、この波形表示装置１、および波形表示装置１による波形表示方法によれば、所望の信号波形Ｗを所望の表示倍率で容易に表示させることができる。
【００４０】
また、この波形表示装置１、および波形表示装置１による波形表示方法によれば、予め規定された時間間隔毎（この例では、１００ｍｓ毎）にドラッグ操作の左右方向に沿った操作量、上下方向に沿った操作量および操作方向を特定して特定の結果に応じて上記の波形スクロール処理および波形拡縮処理を実行することにより、例えば、ドラッグ操作が完了した時点において、ドラッグ操作の起点と終点との間の操作量や操作方向に応じて波形スクロール処理や波形拡縮処理を実行するのと比較して、ドラッグ操作の途中においても波形スクロール処理や波形拡縮処理が実行されるため、信号波形Ｗのスクロールの状態や、拡大または縮小の状態をリアルタイムで見ながらドラッグ操作の操作方向および操作量を適宜変更することで、所望の信号波形Ｗを所望の表示倍率で確実かつ容易に表示させることができる。
【００４１】
さらに、この波形表示装置１、および波形表示装置１による波形表示方法によれば、特定した左右方向に沿った操作量が予め規定された規定量を下回ったときに、規定量以上の操作量が特定される時点、およびドラッグ操作が終了する時点まで、直前（予め規定された時間だけ直前）に特定した操作量に応じて上記の波形スクロール処理を継続して実行することにより、ドラッグ操作を繰り返して複数回に亘って実行することなく、信号波形Ｗを所望の量だけ大きくスクロールさせることができる。
【００４２】
また、この波形表示装置１、および波形表示装置１による波形表示方法によれば、波形拡縮処理においてドラッグ操作の起点（上記の例における位置Ｐ０）を中心として信号波形Ｗを拡大または縮小することにより、例えば、常に波形表示領域１１の中央部を中心にして拡大または縮小する構成および方法とは異なり、着目したい部位を表示領域外に移動させることなく、その着目したい部位を中心として信号波形Ｗを拡大することができると共に、信号波形Ｗの縮小に際しても、ドラッグ操作以前に表示されていた信号波形Ｗに対していずれの方向に位置する信号波形Ｗを含んで縮小表示させるかを任意に選択することができる。
【００４３】
さらに、この波形表示装置１、および波形表示装置１による波形表示方法によれば、少なくとも波形表示領域１１と重なるように配設された（この例では、表示部４の全域と重なるように配設された）タッチパネルを備えてタッチパネルに対する操作に応じた操作信号Ｓ１を出力する操作部３を備えたことにより、波形表示領域１１に表示されている信号波形Ｗ自体を直接ドラッグする操作感覚で信号波形Ｗを拡大または縮小しつつスクロールさせることができる。このため、この波形表示装置１、および波形表示装置１による波形表示方法によれば、波形表示装置１の操作に不慣れな利用者であっても、所望の信号波形Ｗを所望の表示倍率で容易に表示させることができる。
【００４４】
なお、信号波形Ｗを表示させた状態の波形表示領域１１においてドラッグ操作が行われたときに、ドラッグ操作の上下方向（信号レベルを対応させた方向）に沿った操作量に応じて信号波形Ｗを左右方向に沿って拡大する処理、および上下方向に沿った操作量に応じて信号波形Ｗを左右方向に沿って縮小する処理のうちの操作方向に対応付けられたいずれかの処理（この例では、上向きが拡大する処理で、下向きが縮小する処理）を波形拡縮処理として実行する構成の波形表示装置１および波形表示方法を例に挙げて説明したが、波形表示装置の構成および波形表示は、これに限定されない。例えば、信号波形Ｗを表示させた状態の波形表示領域１１においてドラッグ操作が行われたときに、ドラッグ操作の上下方向（信号レベルを対応させた方向）に沿った操作量に応じて信号波形Ｗを上下方向に沿って拡大する処理、および上下方向に沿った操作量に応じて信号波形Ｗを上下方向に沿って縮小する処理のうちの操作方向に対応付けられたいずれかの処理（一例として、上向きが拡大する処理で、下向きが縮小する処理）を波形拡縮処理として実行する構成および方法を採用することができる。なお、以下の説明において、上記の波形表示装置１と同様の構成要素については、同一の符号を付して重複する説明を省略する。
【００４５】
このような構成を採用した波形表示装置１において、波形表示領域１１に表示されている信号波形Ｗ（一例として、図２に示す信号波形Ｗ）よりも前の時点の信号波形Ｗを信号レベル方向に沿って拡大するときに、一例として、図６に示す矢印ＣＲＵ１のように、波形表示領域１１上において右斜め上向きにドラッグ操作する。この際に、制御部５は、操作部３（タッチパネル）から出力された操作信号Ｓ１に基づき、波形表示領域１１上の所定の位置から右斜め上向きにドラッグ操作が行われたと判別すると共に、その操作量および操作方向を特定して、特定した結果に応じた波形スクロール処理、および特定した結果に応じた波形拡縮処理を実行する。なお、１００ｍｓ間隔での操作量および操作方向の特定処理については、前述した「時間軸方向への拡大または縮小」を伴うドラッグ操作時と同様のため、詳細な説明を省略する。この結果、図８に示すように、ドラッグ操作以前に波形表示領域１１に表示されていた信号波形Ｗよりも前の時点の信号波形Ｗが信号レベル方向において拡大されて波形表示領域１１に表示された信号波形表示画面１０が表示部４に表示される。
【００４６】
このような構成を採用した波形表示装置１、およびその波形表示方法によれば、信号波形Ｗを信号レベル方向（上下方向）に拡大または縮小しつつ時間軸方向（左右方向）にスクロールさせたいときに、拡大または縮小を行うための操作と、スクロールさせるための操作とを１回のドラッグ操作によって容易に実行することができる。このため、この波形表示装置１、および波形表示装置１による波形表示方法によれば、所望の信号波形Ｗを所望の表示倍率で容易に表示させることができる。
【００４７】
また、ドラッグ操作の起点を中心として信号波形Ｗを拡大または縮小する例について説明したが、例えば、波形表示領域１１上のいずれの位置からドラッグされたとしても波形表示領域１１の中央部を中心として信号波形Ｗを拡大または縮小する構成および方法を採用することもできる。さらに、上記の波形表示装置１、およびその波形表示方法では、第１方向を左右方向とし、かつ、第２方向を上下方向として信号波形Ｗを表示させる構成および方法を採用しているが、波形表示装置の構成、および波形表示方法はこれに限定されず、第１方向を上下方向とし、かつ、第２方向を左右方向として信号波形Ｗを表示させる構成および方法を採用することもできる。
【００４８】
また、測定部２を一体的に備えた波形表示装置１を例に挙げて説明したが、波形表示装置の構成はこれに限定されず、外部装置としての測定装置によって生成された測定データＤに基づく信号波形Ｗを表示させる構成（図示せず）を採用することもできる。さらに、表示部４を一体的に備えた波形表示装置１を例に挙げて説明したが、波形表示装置の構成はこれに限定されず、外部装置としての表示装置に信号波形Ｗを表示させる構成（図示せず）を採用することもできる。
【００４９】
また、タッチパネルを有する操作部３を備えた波形表示装置１を例に挙げて説明したが、タッチパネルに代えて、マウスやトラックボール等のドラッグ操作が可能な各種ポインティングデバイスを備えて構成することもできる。このような構成を採用した場合においても、マウスやトラックボール等のドラッグ操作に応じて波形スクロール処理および波形拡縮処理を実行することで、前述した波形表示装置１と同様の効果を奏することができる。
【符号の説明】
【００５０】
１  波形表示装置
３  操作部
４  表示部
５  制御部
６  記憶部
１０  信号波形表示画面
１１  波形表示領域
Ｄ  測定データ
Ｐ０，Ｐ１・・  位置
Ｓ１  操作信号
Ｓ２  表示信号
Ｓｉ  入力信号
Ｗ  信号波形
【図１】
2011106946.tif 000003
【図２】
2011106946.tif 000004
【図３】
2011106946.tif 000005
【図４】
2011106946.tif 000006
【図５】
2011106946.tif 000007
【図６】
2011106946.tif 000008
【図７】
2011106946.tif 000009
【図８】
2011106946.tif 000010